(57)【要約】      （修正有）【課題】フロアシートを効率良く巻き取ることができ、芯端部や巻取機の転動輪の傷つけを防止することができるフロアシートの巻取芯を提供する。【解決手段】巻取芯１は、パイプ本体１０の巻装部１１の両側に所定長さの芯端部１２を有している。芯端部の外周に、合成樹脂の円筒摩擦部材１５が嵌着される。巻取芯は、両側の芯端部がフロアシート巻取機の転動輪に接触し、転動輪の回転力が芯端部を介して巻取芯に伝達され、巻取芯が回転して、フロアシートを巻き取る。【選択図】図２
0003227931.tif 000002
【実用新案登録請求の範囲】
【請求項１】
円筒状の巻取芯の両側の芯端部がフロアシート巻取機の転動輪に接触し、該転動輪の回転力が該芯端部を介して該巻取芯に伝達され、該巻取芯を回転させて、フロアシートを巻き取るフロアシートの巻取芯において、
該巻取芯は、パイプ本体の巻装部の両側に所定長さの芯端部を設けて構成され、該芯端部の外周に、合成樹脂の円筒摩擦部材が嵌着されたことを特徴とするフロアシートの巻取芯。
【請求項２】
前記円筒摩擦部材の幅は、前記パイプ本体の巻装部から両側に突出する前記芯端部と略同じ長さであることを特徴とする請求項１記載のフロアシートの巻取芯。
【請求項３】
前記合成樹脂の円筒摩擦部材は、前記パイプ本体の外径より少し短い内径を持つ合成樹脂チューブを、芯端部と略同じ長さに裁断し、その部材を加熱した状態で芯端部に圧入して嵌着されたことを特徴とする請求項１記載のフロアシートの巻取芯。
【請求項４】
前記パイプ本体の巻装部の外周部に、フロアシートの端部を係止する、係止板バネが取り付けられたことを特徴とする請求項１記載のフロアシートの巻取芯。
【考案の詳細な説明】
【技術分野】
【０００１】
本考案は、体育館などの床に敷かれる長尺のフロアシートを、巻き取るフロアシートの巻取芯に関する。
【背景技術】
【０００２】
体育館などで使用される長尺のフロアシートは、使用された後、例えばフロアシート巻取機（特許文献１を参照）によって、巻取芯の外周に巻き取られ、巻き取られた複数のシートロールは、収納ラックの上に載置され、収納保管される。
【先行技術文献】
【特許文献】
【０００３】
【特許文献１】実公平１−１４５９６号公報
【考案の概要】
【考案が解決しようとする課題】
【０００４】
長尺のフロアシートを巻き取る、従来の巻取芯は、金属パイプを所定の長さに裁断したものを、芯としてそのまま使用し、巻取芯の外周にフロアシートを巻き付けて巻き取るように構成されていた。
【０００５】
しかし、フロアシートの巻取は、通常、上記フロアシート巻取機等の巻取機を用いて行われ、巻取機の転動輪が巻取芯の両側の芯端部に接触し、転動輪の回転力を芯端部を介して巻取心に伝達し、巻取芯を回転させて、フロアシートの巻取を行う。
【０００６】
このため、転動輪の外周部の摩擦係数が減少すると、転動輪が金属の芯端部に接するため、転動輪が空回りし、巻取芯に回転力が伝わりにくくなり、巻取作業の効率が悪化する。また、転動輪に摩擦係数の大きい軟質部材を使用した場合、巻取芯の金属製の芯端部が転動輪を傷つけやすく、転動輪が金属製の場合、芯端部が傷つきやすい課題があった。
【０００７】
本考案は、上述の課題を解決するものであり、フロアシートを効率良く巻き取ることができ、芯端部や巻取機の転動輪の傷つきを防止することができるフロアシートの巻取芯を提供することを目的とする。
【課題を解決するための手段】
【０００８】
本考案に係るフロアシートの巻取芯は、
円筒状の巻取芯の両側の芯端部がフロアシート巻取機の転動輪に接触し、該転動輪の回転力が該芯端部を介して該巻取芯に伝達され、該巻取芯を回転させて、フロアシートを巻き取るフロアシートの巻取芯において、
該巻取芯は、パイプ本体の巻装部の両側に所定長さの芯端部を設けて構成され、該芯端部の外周に、合成樹脂の円筒摩擦部材が嵌着されたことを特徴とする。
【０００９】
このフロアシートの巻取芯は、フロアシート巻取機の転動輪が巻取芯の両側の芯端部に接触し、転動輪の回転力を芯端部を介して巻取芯に伝達して巻取芯を回転させ、フロアシートの巻取を行う。芯端部に合成樹脂の円筒摩擦部材が嵌着されているので、転動輪の回転力が滑ることなく良好に巻取芯に伝達され、フレアシートが効率良く巻き取られる。また、合成樹脂の円筒摩擦部材が転動輪に接触するので、転動輪の傷つきは防止され、巻取芯の芯端部の傷つきも防止される。
【００１０】
ここで、上記円筒摩擦部材の幅は、パイプ本体の巻装部から両側に突出する芯端部と略同じ長さであることが好ましい。また、合成樹脂の円筒摩擦部材は、パイプ本体の外径より少し短い内径を持つ合成樹脂チューブを、芯端部と略同じ長さに裁断し、その部材を加熱した状態で芯端部に圧入して嵌着することができる。これによれば、円筒摩擦部材を芯端部に圧入した状態で冷却すれば、その内径が収縮し、円筒摩擦部材を芯端部に、少ない工数で簡単に且つ確実に嵌着することができる。
【００１１】
またここで、上記パイプ本体の巻装部の外周部に、フロアシートの端部を係止する、係止板バネを取り付けることが好ましい。これによれば、板バネの内側に、フロアシートの端部を挟持させ係止した状態で、フロアシートの端部を巻き付ければ、フロアシートが巻取芯の巻装部上で滑らずに、良好に巻き取ることができる。
【考案の効果】
【００１２】
この考案のフロアシートの巻取芯によれば、フロアシートを効率良く巻き取ることができ、芯端部や巻取機の転動輪などの傷つきを防止することができる。
【図面の簡単な説明】
【００１３】
【図１】本考案の実施形態を示し、（ａ）は巻取芯の正面図、（ｂ）はその右側面図である。
【図２】巻取芯の斜視図である。
【図３】芯端部の拡大部分斜視図である。
【図４】係止板バネの斜視図である。
【図５】フロアシート巻取機の右側面図である。
【図６】フロアシート巻取機の正面図である。
【図７】フロアシート巻取機の平面図である。
【図８】フロアシート巻取機の構成を示す右側面図である。
【図９】巻取芯をセットした状態の同右側面図である。
【図１０】フロアシートの巻取を終了した状態の同右側面図である。
【考案を実施するための形態】
【００１４】
以下、本考案の一実施形態を図面に基づいて説明する。図１、図２は、フロアシートＦの巻取芯１を示している。この巻取芯１は、図５〜図８に示すフロアシート巻取機２０において使用され、フロアシート巻取機２０の動作により、フロアシートＦが巻取芯１の外周部に巻き取られる。
【００１５】
巻取り動作は、円筒状の巻取芯１の両側の芯端部１２が、フロアシート巻取機２０の転動輪２６に接触し、転動輪２６の回転力が芯端部１２を介して巻取芯１に伝達され、巻取芯１を回転させて、フロアシートＦを巻き取る。
【００１６】
図１、図２に示すように、巻取芯１は、パイプ本体１０の巻装部１１の両側に、所定長さの芯端部１２を設けて構成される。両側の芯端部１２の外周に、合成樹脂の円筒摩擦部材１５が嵌着されている。パイプ本体１０は、例えば、汎用の金属パイプを、所定の長さに裁断して使用される。
【００１７】
両側の芯端部１２の外周に嵌着された合成樹脂の円筒摩擦部材１５は、例えば、汎用の合成樹脂製チューブを所定の長さ（芯端部と略同じ長さ）に裁断して用いることができる。
【００１８】
円筒摩擦部材１５を、両側の芯端部１２の外周に嵌着する場合、パイプ本体１０の外径より僅かに短い内径の合成樹脂製チューブを使用し、当該合成樹脂製ホースを、その軟化温度まで加熱した状態で、パイプ本体１０の端部を、当該合成樹脂製ホース内に圧入する。
【００１９】
この後、巻取芯１を常温まで冷せば、円筒摩擦部材１５が収縮し、円筒摩擦部材１５は、芯端部１２の外周に嵌着される。これにより、巻取芯１の製造時には、短時間で且つ少ない工数により、円筒摩擦部材１５を芯端部１２に嵌着することができる。
【００２０】
さらに、図４に示すように、パイプ本体１０の巻装部１１の外周部に、係止板バネ１７が取り付けられている。この係止板バネ１７は、フロアシートＦの端部を挟持させ、係止させるもので、例えば、略長方形の板バネを、パイプ本体１０の外周曲率に合せて曲げ成形したものを使用する。
【００２１】
２個或いは３個の係止板バネ１７が、適当な間隔をおいて、巻装部１１の外周部に取り付けられる。係止板バネ１７は、板バネの端部をパイプ本体１０の外周部に、例えば、リベットなどで固定することができる。係止板バネ１７のバネ力は、フロアシートＦの端部を挟持させる程度の比較的弱いバネ力でかまわない。この係止板バネ１７により、フロアシートの端部を板バネの内側に係止させて、巻き付ければ、フロアシートが巻取芯１の巻装部１１上で滑らずに良好に巻き取ることができる。
【００２２】
巻取芯１を使用するフロアシート巻取機２０は、図５〜図８に示すように、平面視で長方形状の台車フレーム２１を有し、台車フレーム２１の両側底部には、２個の前輪２２と２個の後輪２３が回転自在に軸支される。台車フレーム２１の後部には、使用者が持つハンドル３１が取り付けられる。台車フレーム２１の内側空間には、芯端挿入部３０が設けられ、芯端挿入部３０に巻取芯１を挿入し、巻取芯１の回転により、フロアシートＦを巻き取るようになっている。台車フレーム２１の前部には、フロアシートＦをガイドする、前ガイドローラ２４が回転自在に軸支される。
【００２３】
台車フレーム２１の両側部に、転動輪２６を有した巻取駆動部４０が設けられる。両側の巻取駆動部４０の転動輪２６は、図８に示す如く、巻取芯１のセット時、後輪２３に当接して従動回転するようになっている。図８の如く、転動輪２６は、回動レバー２７の一部に軸支され、回動レバー２７は軸２７ａの回りで回動可能に軸支される。巻取芯１のセット時、芯端挿入部３０に挿入された巻取芯１の両側の芯端部１２は、両側の転動輪２６に接触し、且つ支持ローラ２５に支持される。このとき、転動輪２６は後輪２３に接触しているので、後輪２３の回転力が転動輪２６を介して巻取芯１が回転する構造である。
【００２４】
図８に示すように、転動輪２６と支持ローラ２５の上方空間が芯端挿入部３０として開口する。上記巻取芯１の両側の芯端部１２は、この芯端挿入部３０内に挿入される。芯端部１２の外周には、合成樹脂の円筒摩擦部材１５が嵌着されるので、この円筒摩擦部材１５が転動輪２６に接触し、且つ支持ローラ２５に支持されることとなる。円筒摩擦部材１５が転動輪２６に接触して巻取芯１が回転するので、芯端部１２に滑りが生じず、巻取芯１は良好に回転駆動される。また、巻取芯１の芯端部１２が転動輪２６などに接触して傷つくことも防止される。
【００２５】
さらに、図８に示す如く、両側の巻取駆動部４０には、転動輪２６の前方に、支持ローラ２５が巻取芯１の両側の芯端部１２を支持して、回転可能に軸支される。支持ローラ２５は、操作レバー３２の操作により、前後に所定の幅で移動可能に軸支され、操作レバー３２をリリース位置に操作したとき、支持ローラ２５は前方に移動し、シートロールＲの巻取芯１を外して下に落下させる。操作レバー３２は、図６、図７に示すように、台車フレーム２１の後部上に設けられ、操作レバー３２と支持ローラ２５の軸支フレーム間はワイヤで連結される。
【００２６】
転動輪２６を軸支する回動レバー２７は、巻取芯１のセット時、図８に示すように、転動輪２６が支持ローラ２５と協働して巻取芯１を回転可能に支持する回動位置にあり、フロアシートＦの巻取り終了時には、操作レバー３２の操作により、図１０に示す状態まで、回動レバー２７は回動する。このために、操作レバー３２と回動レバー２７間が、ワイヤで連結される。
【００２７】
このように、図１０のように、巻取り終了時、操作レバー３２の操作に応じて、転動輪２６が巻取芯１から離れた位置まで移動し、同時に、支持ローラ２５が前方に移動し、シートロールＲの芯端部１２は、支持が解除され、下に落下するようになっている。
【００２８】
さらに、図８に示すように、両側の巻取駆動部４０には、芯端挿入部３０に挿入された芯端部１２を上方から押える押えローラ２８が、押えレバー２９を介して取り付けられる。押えレバー２９は、その下端部が台車フレーム２１上に軸支され、押えレバー２９の内側に、押えローラ２８が回転自在に軸支される。図９に示すように、巻取芯１を挿入した状態で、押えレバー２９を下側に回動操作すると、押えローラ２８がその芯端部１２を回転可能に押える構造である。
【００２９】
なお、図５〜図１０で示したフロアシート巻取機２０は一例であり、フロアシート巻取機には、各種の構造の装置が知られており、その他のフロアシート巻取機であっても、上記巻取芯１は適用可能である。
【００３０】
上記構成の巻取芯１の動作を、フロアシート巻取機２０の動作とともに、以下に説明する。
【００３１】
体育館などに敷かれたフロアシートＦを巻き取る場合、先ず、フロアシートＦの端部を持って、巻取芯１の巻装部１１に設けた係止板バネ１７に端部を差し込み、係止板バネ１７がフロアシートＦの端部を挟み込んだ状態で、巻装部１１の回りにフロアシートＦを２〜３回巻く。
【００３２】
次に、フロアシートＦの端部を短く巻き取った巻取芯１を水平に持って、図８のように、その両側の芯端部１２を、フロアシート巻取機２０の両側に設けた巻取駆動部４０の芯端挿入部３０内に、挿入する。このとき、図８のように、押えレバー２９は、開口状態であり、容易に両側の芯端部１２を内部に挿入することができる。
【００３３】
芯端部１２を芯端挿入部３０に挿入すると、図８のように、巻取芯１の両側の芯端部１２は、支持ローラ２５と転動輪２６の上に載置される。この状態で、図９のように、押えレバー２９を下に回動操作して、押えローラ２８を芯端部１２に押し付ける状態とする。巻取芯１の前方のフロアシートＦは、図９のように、前ガイドローラ２４の上に載り、そこから前方に延びた状態となる。
【００３４】
この状態で、両側の芯端部１２は、両側の巻取駆動部４０の転動輪２６上に確実に当接し、転動輪２６は後輪２３に接触しているため、図９に示すように、使用者は、ハンドル３１を持ってフロアシート巻取機２０を押し、前方に走行させると、後輪２３の回転力が転動輪２６に伝達され、転動輪２６の回転力が芯端部１２に伝達され、巻取芯１が回転して、フロアシートＦを巻取芯１の巻装部１１に巻き取っていく。
【００３５】
フロアシート巻取機２０の前進により、フロアシートＦが全て巻取芯１の巻装部１１に巻き取られると、巻取動作が終了し、図１０のように、押えレバー２９を上方に回動操作して、押えローラ２８を押え位置から外し、台車フレーム後部の操作レバー３２を操作して、回動レバー２７を巻取解除方向に回動させる。
【００３６】
これにより、図１０のように、転動輪２６が芯端部１２から離れて上方に移動するとともに、支持ローラ２５が少し前方に移動するため、芯端部１２の下方が開口し、フロアシートを巻き取ったシートロールＲは、フロアシート巻取機２０から床上に落下し、この回の巻取動作を終了する。
【００３７】
このように、巻取芯１の芯端部１２に、合成樹脂の円筒摩擦部材１５が嵌着されているので、転動輪２６の回転力が滑ることなく良好に巻取芯１に伝達され、フロアシートＦが効率良く巻き取られる。また、合成樹脂の円筒摩擦部材１５が転動輪２６に接触するので、転動輪２６の傷つきは防止され、巻取芯１の芯端部１２の傷つきも防止される。
【符号の説明】
【００３８】
１      巻取芯
１０    パイプ本体
１１    巻装部
１２    芯端部
１５    円筒摩擦部材
１７    係止板バネ
２０    フロアシート巻取機
２１    台車フレーム
２２    前輪
２３    後輪
２４    前ガイドローラ
２５    支持ローラ
２６    転動輪
２７    回動レバー
２７ａ  軸
２８    押えローラ
２９    押えレバー
３０    芯端挿入部
３１    ハンドル
３２    操作レバー
４０    巻取駆動部
Ｆ      フロアシート
Ｒ      シートロール
【図１】
0003227931.tif 000003
【図２】
0003227931.tif 000004
【図３】
0003227931.tif 000005
【図４】
0003227931.tif 000006
【図５】
0003227931.tif 000007
【図６】
0003227931.tif 000008
【図７】
0003227931.tif 000009
【図８】
0003227931.tif 000010
【図９】
0003227931.tif 000011
【図１０】
0003227931.tif 000012